(57)【要約】【課題】浴槽に人が入ったことを検出すると、自動的に台所リモコンの表示部に浴槽に人がいることを表示する。【解決手段】水位センサ７によって浴槽７ｃへ人が入ったことを検出した時は、台所リモコンの表示部９に、浴槽に人がいることを表示するので、介護者の手を煩わせなくとも身体の弱い人等のリモコン操作が的確に出来ない使用者の状態を把握することができて、入浴時の安全性、利便性を高めることができる。【選択図】図１
2005114187.tif 000002
【特許請求の範囲】
【請求項１】
浴槽のある浴室に設けられた浴室リモコンと、浴室以外に設けられた台所リモコンとを有する風呂給湯装置において、浴槽の水位の変化より人の浴槽への出入りを検知する水位センサと、人が浴槽に入ってからの経過時間を測定する計時手段を備え、前記水位センサにより人が浴槽に入ったこと、計時手段で計時した経過時間を台所リモコンの表示部に表示、または音声等で報知させるようにした風呂給湯装置。
【請求項２】
水位センサで人が浴槽から出たことを検出すると、台所リモコンの表示部に表示していた入槽の表示を消して出槽を表示し、音声等による報知を行う請求項１記載の風呂給湯装置。
【請求項３】
水位センサにより出槽検出して所定時間経過後、台所リモコンの出槽の表示を消すようにした請求項２記載の風呂給湯装置。
【請求項４】
浴室を照らす照明を備え、水位センサにより入槽検出すると、照明灯を点灯させる請求項１から３のいずれか１項記載の風呂給湯装置。
【請求項５】
水位センサによる出槽を検出して所定時間経過後、照明を消灯させる様にした第４項記載の風呂給湯装置。
【請求項６】
浴室リモコンの表示部のバックライトの照度を調節する制御部を設け、水位センサによる入槽を検出すると、前記制御部の浴室リモコンの表示部のバックライトを調節するようにした請求項１から５のいずれか１項記載の風呂給湯装置。
【請求項７】
水位センサによる出槽を検出すると、前記制御部の浴室リモコンの表示部のバックライトを調節するようにした請求項６記載の風呂給湯装置。
【請求項８】
水位センサによる浴槽への出入りの検出情報を台所リモコンに表示させない、または音声による報知を行わないためのリセットＳＷを浴室リモコンに設けた請求項１から７のいずれか１項記載の風呂給湯装置。                                                                                                          
【発明の詳細な説明】
【技術分野】
【０００１】
本発明は、人が浴槽に入ったこと、出たことなどを検出して浴室リモコンや台所リモコンで報知する風呂給湯装置に関するものである。
【背景技術】
【０００２】
従来この種の風呂給湯装置は、人が浴槽に入ったかどうかについては、例えば、インターホンリモコン等の様に、台所リモコンから浴室リモコンに音声で通話し、浴室リモコンからの応答で確認するのが一般的で、図９に示すように、通常台所リモコン１の通話ＳＷ３を押してから、浴室の人に台所から呼びかけ（Ｓ２１）、浴室にいる人が浴室リモコン２の通話ＳＷ４を押して浴室リモコンから返事をすることで（Ｓ２２）人がいる（Ｓ２３）かいない（Ｓ２４）かを確認している。
【０００３】
しかしこのような構成では、台所等にいる人が台所リモコンの通話ＳＷを押して浴室リモコンに話し掛けないと浴室の状態が確認できなかった。
【０００４】
そこで、浴室に赤外線による人体検知センサを設けセンサによる自動検知を行う構成もあった（例えば、特許文献１）。
【特許文献１】特開２００２−２７９４２８号公報
【発明の開示】
【発明が解決しようとする課題】
【０００５】
しかしながら、上記構成の赤外線センサを用いて人体を検出する構成では、浴槽中の湯温と人体表面温度との区別をするための複雑な信号処理を行うことが必要であった。
【０００６】
本発明は、前記従来の課題を解決するもので、浴槽内に人が入浴したことを水位センサにより検出して、自動的に台所リモコンの表示部に人が浴槽に入っていることを表示・音声で報知したり、自動的に浴室の照明灯を点灯させたり、さらには自動的に浴室リモコン表示部のバックライトの明るさを明るくして浴槽に人がいる時の視認性、安全性を高めることが簡易な構成で出来るものである。
【課題を解決するための手段】
【０００７】
本発明は上記課題を達解決するために、浴槽の水位を検知して、人が浴槽に入ったことを検出した時、人が浴槽に入ったことを台所リモコンに表示させるようにしたものである。
【０００８】
上記目的を達成する為に本発明の風呂給湯装置は、浴槽のある浴室に設けられた浴室リモコンと浴室以外に設けられた台所リモコンを有する風呂給湯装置で浴槽の水位を検知する部にて、人が浴槽に入ったことを検知した時、人が浴槽に入ったことを台所リモコンの表示部に表示させるようにしたものである。
【０００９】
上記発明によれば、人が入浴することを自動的に検出し、台所リモコンに人が浴槽に入ったことを自動的に表示するのでので、体の不自由な人や目の不自由な人が浴槽に入った時でもいちいちインターホンリモコンで通話しながら確認しなくて良く、高齢者や身体の不自由な人が浴槽に入った時に、台所等にいる介護者に知らせることができ、高齢化社会に対応した風呂給湯機を提供できる。
【００１０】
更に、浴槽に人がいることを台所リモコンに表示させさせ、入浴時間を知らせることにより、長い時間表示されている時には、介護者等に注意を喚起させることができ、結果として浴槽内での事故を防止することができる。
【発明の効果】
【００１１】
以上の説明から明らかのように本発明の風呂給湯装置によれば次の効果が得られる。人が入浴したことを検出して自動的に台所リモコンの表示部に浴槽に人が入っていることを表示させ、音声等で報知するので、身体の不自由な人や視力の弱い人が浴槽にいて心配な時、介護者に浴槽内に人がいることを自動的に知らせるので、介護者の手を煩わせなくとも身体の弱い人等の状態を把握することができて、入浴時の安全性、利便性を高めることができる。
【発明を実施するための最良の形態】
【００１２】
第１の発明は、浴槽のある浴室に設けられた浴室リモコンと、浴室以外に設けられた台所リモコンとを有する風呂給湯装置において、浴槽の水位の変化より人の浴槽への出入りを検知する水位センサと、人が浴槽に入ってからの経過時間を測定する計時手段を備え、前記水位センサにより人が浴槽に入ったこと、計時手段で計時した経過時間を台所リモコンの表示部に表示、または音声等で報知させるようにしたものである。
【００１３】
第２の発明は、水位センサで人が浴槽から出たことを検出すると、台所リモコンの表示部に表示していた入槽の表示を消して出槽を表示し、音声等による報知を行うとこととした。
【００１４】
第３の発明は、水位センサにより出槽検出して所定時間経過後、台所リモコンの出槽の表示を消すようにした。
【００１５】
第４の発明は、浴室を照らす照明を備え、水位センサにより入槽検出すると、照明灯を点灯させるようにした。
【００１６】
第５の発明は、水位センサによる出槽を検出して所定時間経過後、照明を消灯させる様にした第４項記載の風呂給湯装置。
【００１７】
第６の発明は、浴室リモコンの表示部のバックライトの照度を調節する制御部を設け、水位センサによる入槽を検出すると、前記制御部の浴室リモコンの表示部のバックライトを調節するようにした。
【００１８】
第７の発明は、水位センサによる出槽を検出すると、前記制御部の浴室リモコンの表示部のバックライトを調節するようにした。例えば、浴室リモコンの表示部のバックライトをＯＦＦ、またはバックライトの照明を強照明から弱照明にする様にしたものである。
【００１９】
第８の発明は、水位センサによる浴槽への出入りの検出情報を台所リモコンに表示させない、または音声による報知を行わないためのリセットＳＷを浴室リモコンに設けた。
【００２０】
以下、本発明の実施の形態について、図１〜図８を参照しながら説明する。
【００２１】
（実施の形態１）
図１は本発明の風呂給湯装で人が浴槽に入った時、人が浴槽に入ったことと、人が浴槽に入ってからの経過時間を台所リモコンの表示部に表示し、音声等による報知をする実施の形態を示す。
【００２２】
図１において、台所リモコン１及び浴室リモコン２の運転ＳＷ５又は６をＯＮすると、（Ｓ１）台所リモコン１と浴室リモコン２は風呂給湯装置の状態を表示部９および１０に表示する。水位センサ７は計時手段７ｂとともに制御手段７ａにより制御さて、浴槽７ｃにとりつけられている。
【００２３】
また、浴槽から人が入ったことを、水位センサ７が検出する（Ｓ２）と、台所リモコン１の表示部９に表示するものであり、浴槽内で体調を崩したり意識を失ったりすることが多いので、浴槽に人が入った時に、介護者等に注意を喚起することができ、さらにＳ３で計時した入浴時間ｔも表示されるので、異常に入浴時間が長いときなど、介護者等が浴槽内での異変に気づくことができる。
【００２４】
浴槽へ人が入ったことを、水位センサが検出しない時は、台所リモコン１に、人が入ったことは表示されない。
【００２５】
自動的に人が浴槽に入ったことを表示すると、プライバシーを侵す恐れがある可能性がある場合、これを解除するリセットスイッチ８を有し、リセットスイッチ８の状態を確認して（Ｓ４）、押されていなければリモコンに表示し（Ｓ５）、押されていれば自動的に表示しないように（Ｓ６）したものである。
【００２６】
図２は人が浴槽に入った時に浴室の照明灯を点灯させる説明図である。
【００２７】
浴槽に人が入ったことを水位センサ７が検出すると（Ｓ２）、自動的に浴室の照明灯を点灯させるものであり（Ｓ７）、視力の弱い人や身体の不自由な人が浴槽に入った時、自動的に浴室を明るくして浴室での安全性を高めると共に、いちいち照明を点灯させるわずらわしさを解消させたものである。
【００２８】
図３は人が浴槽に入った時に浴室リモコン２のバックライトをＯＮする説明図である。
【００２９】
浴槽に人が入ったことを水位センサ７が検出すると（Ｓ２）、自動的に浴室リモコン２の表示部１０のバックライトをＯＮするもので、浴槽に人が入った時の視認性を高めたものである。一般的に浴室リモコンの表示部は、バックライトにＥＬやＬＥＤ等を採用しており、必要な時のみバックライトをＯＮして、省エネと視認性を高めるものである。
【００３０】
図４は人が浴槽に入る時の入浴検出説明図である。
【００３１】
沸きあがり後の水位を示す水位センサ７の出力をＶ１とする。この時人が入浴すると水位センサの出力はＶ２に急激に上昇する。この急激な出力上昇を検出して、人の入浴検出をすることが出来る。
【００３２】
沸き上がり後の水位をＶ１とすると、人が入浴した後の水位Ｖ２で示される。たとえば縦６０ｃｍ、横７０ｃｍ、深さ６０ｃｍの浴槽に設定水位Ｖ１で沸き上がっている所へ体重約６５ｋｇの人が入浴すると、急激に水位は上昇し約１８ｃｍ水位が上昇する。即ちＶ２−Ｖ１＝約１８ｃｍとなることを示している。即ち、人が入浴すると水位センサ出力がＶ１→Ｖ２へ上昇することを示している。ここで人が入浴する場合についてさらに詳細に述べる。たとえば、１．６秒毎にマイコンで水位センサの出力を読み取るものとし、１ビット＝２．５ｍｍＨ２０の水位センサ出力と仮定する。ここで人が入浴すると１８ｃｍは７２ビットに相当する。今、４回データを読み取ったとすると、１．６秒×４＝６．４秒かかることになる。即ち、急激な水位変化を判定する判定時間を６．４秒とした時に、たとえば水位上昇が３６ビット＝９ｃｍ以上上昇した時を人の入浴とすれば、水位検出は２倍の安全率誤動作を少なくして検出できる。
【００３３】
一方、人が入浴する時には、水面が乱れるので読み取りデータをそのまま、水位センサの出力として比較すると、水面の乱れがそのまま水位の乱れとなるので、たとえば、データとしては移動平均に置き換えたもので比較するほうが、安定して比較が可能となる。たとえば、１．６秒ごとにデータを読み取るが、４回目のデータは３回分の値に今回の４回目のデータを加えて、４で割ったものを今回の移動平均の水位出力として比較するものである。
【００３４】
図５はお湯張り中に人が浴槽に入る時の入浴検出説明図である。
【００３５】
又、お湯張り中の水位センサ出力をＶ３とする。この時人が入浴すると水位センサの出力はＶ４に急激に上昇する。この急激な出力上昇を検出して、お湯張り中でも人の入浴を検出することが出来る。お湯張り中または浴槽水位が低下した時に設定水位まで補水する補水中の水位上昇は  前記浴槽を例にとって浴槽への注湯量を１８Ｌ／分とすると、１分当りの水位上昇は約４ｃｍである。この状態で人が浴槽へ入ると前記の急激な水位上昇が発生する。この急激な水位上昇を検出してお湯張り中に人が浴槽へ入ることを検出できる。
【００３６】
このことは、言いかえれば浴槽水位低下中に人が浴槽から上がれば、同じように急激な水位降下を検出して、排水中でも人が浴槽から上がることを検出することができる。
【００３７】
図６は人が浴槽から上がる時の検出説明図であり、人が浴槽から出た時に台所リモコンに人が浴室に入っていることを表示せず、人が浴室から上がったことを表示する説明図である。
【００３８】
人が入浴した後の水位を示す水位センサ出力をＶ５とする。この時人が浴槽からあがると水位センサの出力は急激にＶ６に低下する。この急激な出力低下を検出して、浴槽からの人が上がったことを検出できる。
【００３９】
人が浴槽から上がったことを水位センサが検出した時、台所リモコン１に表示していた人が浴槽に入っていたことを表示させない様にし、人が浴槽から出たことを表示・音声で報知するように変更するものである。
【００４０】
さらに所定時間ｔ１経過した場合、台所リモコン１の表示部から、人が浴槽から出たことを消すようにする。
【００４１】
このことによって、浴槽に人がいなくなって所定時間経過後、例えば３０分経過した時は、台所等で人が浴槽・浴室に入っていないことを検出できるので、いちいち、従来の様に台所リモコン１から浴室リモコン２に通話して、人が浴槽・浴室に入っているかいないかを確認する必要がない。
【００４２】
介護の必要な人が入浴している場合は、台所リモコン１に人が浴槽・浴室に入っているかいないかを自動的に表示され確認でき、特に通話操作や言葉を話すことが不自由な人にとっては安心である。
【００４３】
図７は、人が浴槽から上がった後所定時間ｔ１経過した時、浴室の照明灯を消灯させる説明図である。人が浴槽から上がったことを水位センサが検出し（Ｓ９）、所定時間ｔ経過すると（Ｓ１０）、浴室の照明を消すものである（Ｓ１１）。このことにより、いちいち浴室の照明灯を消灯するわわずらわしさが無くなり、身体が不自由な人の入浴時の雑務を助けるもので、これは介護者の負担を少なくするものでもある。
【００４４】
図８は浴槽から人が上がってから所定時間ｔ１経過した時、浴室リモコンの表示部のバックライトを消灯させる説明図である。
【００４５】
浴槽から人が上がったことを水位センサが検出して（Ｓ９）から所定時間ｔ１経過した時（Ｓ１）、浴室リモコン２の表示部９のバックライトを消灯させるか、またはバックライトの照明を強照明から弱照明にして（Ｓ１２）省エネを図るものである。
【産業上の利用可能性】
【００４６】
以上のように、本発明にかかる風呂給湯装置は、人体を検知して浴槽での状態を台所リモコンへ表示することができて安全な入浴が可能となるので、介護機器などの用途にも適用できる。
【図面の簡単な説明】
【００４７】
【図１】本発明の実施の形態１における風呂給湯装置で人が浴槽に入ったことを台所リモコンに表示し、音声報知を行う説明図
【図２】同装置の人が浴槽に入った時の照明灯の点灯説明図
【図３】同装置の人が浴槽に入った時の浴室リモコンのバックライト点灯説明図
【図４】同装置の沸き上がり後に人が浴槽へ入った時の入浴検出説明図
【図５】同装置のお湯張り中に人が浴槽へ入った時の入浴検出説明図
【図６】同装置の人が浴槽から出た時の検出および人が浴槽にいなくなった時の説明図
【図７】同装置の人が浴槽から出た時の照明の消灯説明図
【図８】同装置の人が浴槽から出た時の浴室リモコンのバックライトの消灯説明図
【図９】従来の風呂給湯装置の通話による浴槽に人がいるかいないかの確認説明図
【符号の説明】
【００４８】
１  台所リモコン
２  浴室リモコン
３  台所リモコンの通話ＳＷ
４  浴室リモコンの通話ＳＷ
５  台所リモコンの運転ＳＷ
６  浴室リモコンの運転ＳＷ
７  水位センサ
７ｂ  計時手段
７ｃ  浴槽
８  リセットＳＷ
９  台所リモコンの表示部
１０  浴室リモコンの表示部
【図１】
2005114187.tif 000003
【図２】
2005114187.tif 000004
【図３】
2005114187.tif 000005
【図４】
2005114187.tif 000006
【図５】
2005114187.tif 000007
【図６】
2005114187.tif 000008
【図７】
2005114187.tif 000009
【図８】
2005114187.tif 000010
【図９】
2005114187.tif 000011